(57)【特許請求の範囲】
【請求項１】
ロール紙収納部と、
このロール紙収納部を開閉するための開閉蓋と、
前記ロール紙収納部に収納されるロール紙の側面に押し付けられ、当該ロール紙の芯穴が所定の高さ位置まで低下すると当該芯穴に差し込まれる検出突起を備えた検出レバーと、前記検出レバーを前記ロール紙収納部内に突出する方向に付勢する付勢部材と、を備え、前記ロール紙が所定量以下になったことを検出するロール紙検出機構を有し、
前記ロール紙検出機構は、前記開閉蓋の開き動作に連動して、前記ロール紙収納部内に突出している前記検出レバーの検出突起を前記ロール紙収納部から退避させる検出突起退避機構を、更に有していることを特徴とするロール紙プリンタ。
【請求項２】
請求項１において、
前記検出突起退避機構は、前記開閉蓋の開閉動作に連動して、前記検出突起から外れた第１位置と、当該検出突起を退避状態に押し込んでいる第２位置との間を往復移動する移動板を備えていることを特徴とするロール紙プリンタ。
【請求項３】
請求項２において、
前記検出突起退避機構は、前記移動板を前記第１位置に向けて付勢している付勢部材を備えていることを特徴とするロール紙プリンタ。
【請求項４】
請求項１において、
前記開閉蓋は、プリンタの前方に開くようになっており、前記検出レバーに備えられた前記検出突起の先端部分には、略プリンタ前後方向の外周部分に傾斜面が形成されており、前記ロール紙の芯穴の移動方向の外周面部分には傾斜面が形成されていないことを特徴とするロール紙プリンタ。
【発明の詳細な説明】
【技術分野】
【０００１】
本発明は、ロール紙の交換作業を行い易いように改良が施されたロール紙検出機構を備えたロール紙プリンタに関するものである。
【背景技術】
【０００２】
中心に穴を有する芯にテープ状の記録紙がロール状に巻き付けられた構成のロール紙に印刷を行うロール紙プリンタでは、ロール紙が残り少なくなったことを検出するためのロール紙検出機構が取り付けられている。記録紙が印刷されて搬送されるに従い、当該ロール紙の径は徐々に小さくなる。ロール紙検出機構としては、ロール紙収納部に収納されるロール紙の側面に押し付けられ、当該ロール紙の径が小さくなり、ロール紙の芯穴が所定の高さ位置まで低下すると当該芯穴に差し込まれる検出突起を備えた検出レバーを用いたものが知られている。検出突起がロール紙の芯穴に差し込まれると検出レバーが全体として移動し、この検出レバーが移動すると、メカニカルスイッチなどの検出スイッチがオンして、プリンタの制御部が認識して、ロール紙が残り少なくなった旨あるいはロール紙の交換を促す旨の表示が行われる。このような検出レバーを用いてロール紙の残りが少なくなったことを検出する検出機構は特許文献１に開示されている。
【０００３】
ロール紙収納部にロール紙が無いとき、検出レバーを用いたロール紙検出機構では、検出レバーの検出突起がロール紙収納部内に突出している。したがって、ロール紙収納時には、ロール紙の側面によって検出突起を押し込みながらロール紙がロール紙収納部に収納される。また、ロール紙取り出し時には、ロール紙の芯穴に差し込まれている検出突起を側方に押し込みながら当該ロール紙が取り出される。よって、検出レバーの検出突起には、ロール紙の収納方向および取り出し方向にテーパ面などが形成されており、このようなロール紙の収納および取り出し時に、検出突起を円滑に押し込むことができるようになっている。
【特許文献１】特開２００３−１１４５３号公報
【発明の開示】
【発明が解決しようとする課題】
【０００４】
ここで、ロール紙を交換する際の収納時あるいは取り出し時において、ロール紙を勢い良く収納あるいは引き出そうとすると、検出レバーの検出突起がそれに追従して速やかに移動できず、当該検出突起にロール紙が引っ掛かり、ロール紙の収納あるいは取り出し操作の操作性が阻害されるおそれがある。
【０００５】
ロール紙の収納あるいは取り出し操作の操作性を改善するためには、検出突起におけるロール紙の収納および取り出し方向の面に大きな角度のテーパを付けるなどして、検出突起を円滑に押し込み可能とする必要がある。しかしながら、検出突起に大きな角度のテーパ面を形成すると、テーパ面が付いていない場合に比べて、検出突起がロール紙芯穴に差し込まれる時点を精度良く設定することが困難になり、検出精度が低下するという問題が発生する。
【０００６】
本発明の課題は、このような点に鑑みて、ロール紙の収納、取り出し操作の操作性を阻害することのないロール紙検出機構を備えたロール紙プリンタを提案することにある。
【課題を解決するための手段】
【０００７】
上記の課題を解決するために、本発明のロール紙プリンタは、ロール紙収納部と、このロール紙収納部を開閉するための開閉蓋と、前記ロール紙収納部に収納されるロール紙の側面に押し付けられ、当該ロール紙の芯穴が所定の高さ位置まで低下すると当該芯穴に差し込まれる検出突起を備えた検出レバーと、前記検出レバーを前記ロール紙収納部内に突出する方向に付勢する付勢部材と、を備え、前記ロール紙が所定量以下になったことを検出するロール紙検出機構を有し、前記ロール紙検出機構は、前記開閉蓋の開き動作に連動して、前記ロール紙収納部内に突出している前記検出レバーの検出突起を前記ロール紙収納部から退避させる検出突起退避機構を、更に有していることを特徴としている。
【０００８】
ここで、前記検出突起退避機構は、前記開閉蓋の開閉動作に連動して、前記検出突起から外れた第１位置と、当該検出突起を退避状態に押し込んでいる第２位置との間を往復移動する移動板を備えたものとすることができる。
【０００９】
本発明のロール紙プリンタでは、開閉蓋を開けると、それに連動して検出レバーの検出突起がロール紙収納部から退避する。したがって、ロール紙の収納時に、収納するロール紙が検出突起に当たることがない。同様に、残り少なくなったロール紙を取り出す際にも、その芯穴に差し込まれていた検出突起が引き抜かれ退避した状態となっているので、ロール紙が検出突起に当たることがない。よって、検出突起に当たってロール紙の収納および取り出し操作の操作性が阻害されることがない。
【００１０】
また、前記開閉蓋は、プリンタの前方に開くようになっており、前記検出レバーに備えられた前記検出突起の先端部分には、略プリンタ前後方向の外周部分に傾斜面が形成されており、前記ロール紙の芯穴の移動方向の外周面部分には傾斜面が形成されていない。この結果、検出突起による検出精度を高めることができる。
【００１１】
次に、本発明では、前記検出突起退避機構は、前記移動板を前記第１位置に向けて付勢している付勢部材を備えていることを特徴としている。開閉蓋を開ける場合には、付勢部材の付勢力が開閉蓋ユニットに対して、それを閉じる方向の力として作用する。したがって、開閉蓋ユニットが勢いよく開き、プリンタ設置面などに衝突するという弊害を防止できる。
【発明の効果】
【００１２】
本発明のロール紙プリンタでは、ロール紙検出用の検出レバーの検出突起を、開閉蓋の開き動作に連動してロール紙収納部から退避させるようにしている。したがって、検出突起に邪魔されることなく、ロール紙の収納および取り出し操作を行うことができる。
【発明を実施するための最良の形態】
【００１３】
以下に、図面を参照して、本発明を適用したロール紙プリンタの実施の形態を説明する。
【００１４】
（全体構成）
図１は本発明を適用したロール紙プリンタの外観斜視図であり、図２はその開閉蓋ユニットを開けた状態を示す外観斜視図である。
【００１５】
本実施の形態に係るロール紙プリンタ１は、プリンタ本体２と、その前面に取り付けた開閉蓋ユニット３（開閉蓋）を有しており、プリンタ本体２の前面の端には操作パネルユニット４が取り付けられている。プリンタ前面における開閉蓋ユニット３の上端部分には、プリンタ幅方向に延びる記録紙排出口５が形成されている。
【００１６】
プリンタ本体２は、前面および底面が開口した前後に長いボックス形状の本体ケース６によって覆われている。開閉蓋ユニット３の前面には、プリンタ前面を規定している開閉蓋ケース７が取り付けられている。開閉蓋ユニット３は、操作パネルユニット４に配置されている操作レバー８を操作すると、不図示の蓋ロックが解除されて下端部を中心として前方に開くようになっている。開閉蓋ユニット３が開くと、内部に形成されているロール紙収納部９の前面側が開放状態となり、ロール紙１０の交換作業などを行うことができる。操作パネルユニット４の前面には、ＬＥＤなどからなる状態表示ランプ群４ａ、フィードボタン４ｂ、電源スイッチ４ｃが配置されている。
【００１７】
後述のように、ロール紙収納部９には、そこに収納されているロール紙が所定量（所定径）以下になったことを検出するためのロール紙検出機構が組み込まれている。ロール紙プリンタ１内部に設置されている不図示の制御部が、ロール紙が所定量以下になったことを検出すると、例えば、状態表示ランプ群４ａのうちの一つが点灯あるいは点滅してその旨を表示する。また、ロール紙プリンタ１が不図示の端末装置に接続されている場合、端末装置にその旨を通知する。
【００１８】
図３はロール紙プリンタ１の内部を示す概略構成図である。ロール紙プリンタ１の内部に形成されているロール紙収納部９は、プリンタ幅方向に延びる円弧状の底板１２、同じくプリンタ幅方向に延びる円弧状の天板１３、および、同じくプリンタ幅方向に延びる前板１４によって囲まれている。このロール紙収納部９には、転動自在の状態でロール紙１０が収納されている。ロール紙１０の中心には芯穴１０１が設けられている。ここから繰り出されるテープ状の記録紙１０ａは、プラテンローラ１５と、サーマルヘッド１６の間の印刷位置を通過しながら引き出されて、その前方に位置している記録紙排出口５から排出される。記録紙排出口５の手前には鋏式の記録紙切断装置２０が配置されている。
【００１９】
記録紙切断装置２０は、プリンタ本体２の側に搭載されている固定刃２１と、開閉蓋ユニット３の側に搭載されている可動刃２２および可動刃駆動機構２３とを有している。固定刃２１は刃先２１ａが前方を向く略水平な姿勢で、プリンタ幅方向に配列されている。可動刃２２は、固定刃２１の刃先２１ａのほぼ真下の位置において、刃先２２ａが上を向く略垂直な姿勢で、プリンタ幅方向に配列されている。これらの刃先２１ａ、２２ａの間（記録紙切断位置）を通って記録紙１０ａが排出された状態において、下側の可動刃２２を上方に旋回させることにより、両刃先２１ａ、２２ａによって挟まれた記録紙１０ａの部位がプリンタ幅方向に切断される。
【００２０】
図４は本体ケース６および開閉蓋ケース７を取り外した状態でのロール紙プリンタ１の機構部（プリンタ本体２および開閉蓋ユニット３）を示す側面図である。図５（ａ）および（ｂ）は、さらに、内部構造を示すために想像線で示すように一方の側板を省略した状態の斜視図および側面図である。図６（ａ）および（ｂ）は、図５と同様な状態において開閉蓋ユニットを開けた場合を示す斜視図および側面図である。
【００２１】
これらの図を参照して説明すると、プリンタ本体２は、ベース板３１と、このベース板３１から垂直に起立している左右の側板３２、３３と、これら左右の側板３２、３３の後側の部位の間にプリンタ幅方向に架け渡された背面板３０とを備えている。側板３２、３３の上端の間には、ヘッド取付板３４がプリンタ幅方向に水平に架け渡されており、このヘッド取付板３４の下面に、ヘッド面１６ａが下向きのほぼ水平姿勢でサーマルヘッド１６が取り付けられている（図３参照）。ヘッド取付板３４の後側の部位の下側には、ロール紙収納部９の天板１３が配置されている。また、ロール紙収納部９の底板１２はベース板３１の上面に配置されている。
【００２２】
ヘッド取付板３４の上側には固定刃取付板３５がプリンタ幅方向に水平に配置されており、この固定刃取付板３５の前端部下側に記録紙切断装置２０の固定刃２１が前向きでほぼ水平に取り付けられている。固定刃取付板３５は、側板３２、３３の外側に配置されている左右の旋回板３６、３７（図においては旋回板３７のみを示す。）の上端の間に架け渡されている。旋回板３６、３７は、それらの下端部３６ａ、３７ａ（図においては下端部３７ａのみを示す。）を中心としてプリンタ前後方向に僅かに旋回可能である。記録紙切断装置２０による記録紙１０ａの切断時には、可動刃２２が下側から上方に旋回して固定刃２１を後方に押し込みながら双方の刃先２１ａ、２２ａが点接触状態で交差して、記録紙１０ａが切断される。切断時において固定刃２１を僅かに後退させるために、旋回板３６、３７によって固定刃２１が支持されている。
【００２３】
側板３２の外側面の下端部分には、ロール紙収納部９に収納されているロール紙１０の残り量が所定量以下になったことを検出するためのロール紙検出機構５０が組み付けられている。
【００２４】
一方、開閉蓋ユニット３は、プリンタ本体２の側板３２、３３の下端部に取り付けられている支軸４１、４２を中心としてプリンタ前方に所定角度だけ開くようになっている。開閉蓋ユニット３は、前板部分４３と、この両側から後方に直角に折れ曲がっている細幅の側板部分４４、４５とを備えている。前板部分４３の前面には、記録紙切断装置２０の可動刃２２および可動刃駆動機構２３が取り付けられており、これらの部分が保護板２４によって覆われている。保護板２４の前側は開閉蓋ケース７によって覆われている（図３参照）。また、側板部分４４、４５にはプラテンローラ１５が回転自在の状態で架け渡されている。プラテンローラ１５の下側には、前板部分４３の背面に取り付けたロール紙収納部９の前板１４が配置されている。
【００２５】
上記のように、開閉蓋ユニット３には、ロール紙収納部９の前板１４と、プラテンローラ１５と、記録紙切断装置２０の可動刃２２が搭載されている。開閉蓋ユニット３を開くと、図２、図５に示すように、ロール紙収納部９が開放状態となると共に、ロール紙収納部９から印刷位置および切断位置を経由して記録紙排出口５に到る記録紙搬送路が開放状態になる。したがって、ロール紙収納部９に収納されたロール紙１０から記録紙１０ａを引き出した状態で開閉蓋ユニット３を閉じると、かかる記録紙搬送路に沿って記録紙１０ａがセットされた状態を自動的に形成できる。
【００２６】
（ロール紙検出機構）
図７（ａ）、（ｂ）および（ｃ）は、本例のロール紙検出機構５０を示す部分斜視図、部分平面図および部分側面図である。図８（ａ）、（ｂ）および（ｃ）は、開閉蓋ユニット３を開けた状態におけるロール紙検出機構５０の部分斜視図、部分平面図および部分側面図である。
【００２７】
図４ないし図８を参照して説明すると、ロール紙検出機構５０は、プリンタ本体２の側板３３の外側面に取り付けられた検出レバー５１を備えている。検出レバー５１はそのプリンタ後側の端が、側板３３に取り付けられている支軸５２を中心として、プリンタ幅方向に旋回可能である。支軸５２には不図示の捻りばねなどの付勢部材が配置されており、この付勢部材によって検出レバー５１はプリンタ幅方向の内方に向けて常に付勢されている。
【００２８】
検出レバー５１の前端部にはプリンタ幅方向の内側に突出している検出突起５３が取り付けられている。検出突起５３は、側板３３に開けた開口部３２ａ（図４参照）を通って、ロール紙収納部９の内部に突出している。ロール紙収納部９の底板１２は前方に僅かに傾斜しており、そこに載っているロール紙１０は、使用されると、その径が徐々に小さくなり、それに伴ってその芯穴１０１が僅かに前方に向けて下降する。ロール紙１０の残り量が所定量以下になると、図５（ｂ）において一点鎖線で示すようにロール紙１０Ａの芯穴１０１が検出突起５３の突出位置を包含する位置１０１Ａに到るようになっている。
【００２９】
検出突起５３は、ロール紙１０の残り量が所定量以下になるまでは、ロール紙収納部９に収納されるロール紙１０の側面に押し付けられた状態に保持される。ロール紙１０の芯穴１０１が所定の高さ位置、すなわち、検出突起５３の突出位置まで低下すると、検出突起５３が当該芯穴１０１に差し込まれた状態に切り換わる。
【００３０】
図７（ｂ）および図８（ｂ）に示すように、検出レバー５１の後端は検出スイッチ５４の一方のスイッチング片５４ａに連結されている。検出突起５３がロール紙１０の側面に押し付けられた状態では、検出スイッチ５４はオフ状態にある。検出突起５３がロール紙１０の芯穴１０１に差し込まれると、検出レバー５１が旋回して、その後端に連結されている検出スイッチ５４がオンに切り換わる。よって、検出スイッチ５４の出力を不図示の制御部が検知してロール紙１０の残り量が所定量以下になり、交換が必要になったことが分かる。
【００３１】
ここで、本例のロール紙検出機構５０には、開閉蓋ユニット３の開き動作に連動して、ロール紙収納部９内に突出している検出レバー５１の検出突起５３を、強制的にロール紙収納部９から退避させる検出突起退避機構５５が備わっている。
【００３２】
本例の検出突起退避機構５５は、開閉蓋ユニット３の開閉動作に連動して、検出突起５３から外れた第１位置Ａと、当該検出突起５３を退避状態に押し込んでいる第２位置Ｂとの間を往復移動するリンクレバー７２（移動板）を備えている。また、リンクレバー７２を第１位置Ａに引張っている引張りコイルばね６７（付勢部材）を備えている。
【００３３】
リンクレバー７２の前端部７２ａは、開閉蓋ユニット３の側板４５に取り付けた支持ピン６９に、上下方向の回転自在の状態で連結されている。リンクレバー７２の後端部にはプリンタ前後方向に長い直線状のスライド穴７２ｂが形成されている。スライド穴７２ｂには、ロール紙収納部９の底板１２の側板部分６３の後側の部位に取り付けたスライドピン６５がスライド可能な状態で差し通されている。引張りコイルばね６７は、スライドピン６５と、プリンタ本体２の背面板３０の下端側の部位との間に、引張り状態で架け渡されている。
【００３４】
開閉蓋ユニット３を開閉すると、これに連動して、リンクレバー７２が第１位置Ａ（図７参照）と第２位置Ｂ（図８参照）の間を往復移動する。リンクレバー７２の中ほどの部位には広幅の部分が形成されており、その下側に張り出している当接板部分７２ｃは、検出突起５３の突出位置を経由する移動経路に沿って移動する。リンクレバー７２が第１位置Ａにある状態（開閉蓋ユニット３が閉じ位置３Ａ（図１参照）にある状態）では、図７（ｂ）、（ｃ）に示すように、当該当接板部分７２ｃは、検出突起５３の後側に外れた位置にある。リンクレバー７２を前方の第２位置Ｂに移動すると、当接板部分７２ｃによって検出突起５３が外方に押し込まれ、当該当接板部分７２ｃの外側面に当たり、当接板部分７２ｃによって検出突起５３が退避状態に保持される。開閉蓋ユニット３を開き位置３Ｂから閉じると、これに連動してリンクレバー７２が第２位置Ｂから第１位置Ａに戻り、当接板部分７２ｃから検出突起５３が外れて、ロール紙収納部９内に突出した状態に戻る。
【００３５】
このように、本例では、開閉蓋ユニット３の開き動作に連動して、検出突起５３をロール紙収納部９から退避させるようにしている。したがって、ロール紙１０の交換時には、ロール紙収納部９内から検出突起５３が退避しているので、検出突起５３に当たってロール紙１０の交換時の操作性が阻害されることがない。
【００３６】
また、このように検出突起５３を退避させているので、ロール紙の交換時において検出突起５３を押し込み易くするためのテーパ面などの傾斜面を、当該検出突起５３の先端部分に形成しておく必要もなくなる。テーパ面などの傾斜面を省略できると、検出突起５３による検出精度を高めることができるという効果が得られる。
【００３７】
なお、本例では、図７に示すように、全体として円柱状の検出突起５３の先端部分には、略プリンタ前後方向の外周面部分にテーパ面５３ａ、５３ｂが形成されている。前側のテーパ面５３ａは、側板３３の開口部３３ａの縁に干渉しないようにするために設けたものであり、後側のテーパ面５３ｂは、リンクレバー７２の当接板部分７２ｃによって円滑に押し込まれるようにするために設けたものである。これに直交する方向、すなわち、ロール紙１０の芯穴１０１の移動方向（図５（ｂ）、図７（ｃ）において矢印Ｃで示す方向）の両側の外周面部分５３ｃ、５３ｄにはテーパ面が形成されていない。このように、ロール紙検出方向の両側の外周面部分にテーパ面が設けられていないので、かかる外周面部分にテーパ面を付けた場合に比べて、検出精度を高めることができる。
【００３８】
（ロール紙収納部のロール紙送り出し機構）
なお、本例のロール紙プリンタ１のロール紙収納部９では、開閉蓋ユニット３の開閉に連動して、その底板１２がほぼ水平な姿勢および前傾姿勢に切り換わるようになっている。開閉蓋ユニット３を開くと、底板１２が前傾姿勢になり、底板１２に載っているロール紙１０が自重によって転動して前方に送り出される。本例では、上記の検出突起退避機構５５の構成部品（リンクレバー７２、引張りコイルばね６７など）を用いて、以下に述べるように、ロール紙１０を送り出すための機構が構成されている。
【００３９】
図３、図５および図６を主として参照して説明すると、底板１２は、その前端側の部位が支軸６１を中心としてプリンタ前後方向に回転自在の状態で、ベース板３１に載っている。底板１２の両側の側板部分６２、６３における後側の部位にはスライドピン６４、６５（図においてはスライドピン６５のみを示す。）が側方に突出した状態で取り付けられている。
【００４０】
これらのスライドピン６４、６５と、背面板３０の下端側の部位との間には、それぞれ、引張りコイルばね６６、６７（図においては引張りコイルばね６７のみを示す。）が引張り状態で架け渡されている。これらの左右のコイルばね６６、６７によって、底板１２はその裏面がベース板３１に当接したほぼ水平な姿勢に１２Ａに保持されている。
【００４１】
これらのスライドピン６４、６５と、開閉蓋ユニット３の左右の側板部分４４、４５の上下方向の中程の部位に取り付けた支持ピン６８、６９との間には、それぞれ、同一形状をした板状のリンクレバー７１、７２が架け渡されている。リンクレバー７１、７２の前端部７１ａ、７２ａは、それぞれ、支持ピン６８、６９に対してプリンタ上下方向に回転自在の状態で取り付けられている。リンクレバー７１、７２の後端部分にはプリンタ前後方向に長い直線状のスライド穴７１ｂ、７２ｂが形成されており、これらに、スライドピン６４、６５がスライド可能な状態で差し通されている。また、これらのスライドピン６４、６５は、図４に示すように、左右の側板３２、３３に形成されている円弧状のガイド穴７３、７４（図においてはガイド穴７４のみを示す。）に差し通されている。ガイド穴７３、７４は、支軸６１を中心とする円弧であり、底板１２が支軸６１を中心として旋回すると、スライドピン６４、６５は、これらのガイド穴７３、７４に沿って移動する。
【００４２】
このように構成したロール紙収納部９におけるロール紙送り出し動作を説明する。開閉蓋ユニット３が閉じている場合には、図５に示すように、底板１２の左右のスライドピン６４、６５は左右のリンクレバー７１、７２のスライド穴７１ｂ、７２ｂの前端に位置している。また、スライドピン６４、６５は、図４に示すように、円弧状のガイド穴７３、７４における下側の端に位置している。
【００４３】
開閉蓋ユニット３を開けると、開閉蓋ユニット３の左右の側板部分４４、４５に前端部が連結されている左右のリンクレバー７１、７２も前方に移動する。ロール紙収納部９の底板１２に取り付けた左右のスライドピン６４、６５は、リンクレバー７１、７２のスライド穴７１ｂ、７２ｂの前端に位置している。リンクレバー７１、７２が所定量だけ前方に移動して、それらのスライド穴７１ｂ、７２ｂの後端がスライドピン６４、６５に当たるまでは、底板１２は移動しない。
【００４４】
スライドピン６４、６５がスライド穴７１ｂ、７２ｂの後端に当たった後は、開閉蓋ユニット３の開き動作に連動して、左右のリンクレバー７１、７２によってスライドピン６４、６５が前方に引かれる。これらのスライドピン６４、６５が取り付けられている底板１２は、その前端の支軸６１を中心として旋回可能であるので、開閉蓋ユニット３の開き動作に連動して、支軸６１を中心として、前方に旋回する。
【００４５】
図６に示すように、開閉蓋ユニット３が開き位置３Ｂに到る全開状態では、底板１２が所定角度だけ傾斜した前傾姿勢１２Ｂとなる。このように、ロール紙収納部９の底板１２は開閉蓋ユニット３の開き動作に連動してほぼ水平な姿勢１２Ａから前傾姿勢１２Ｂに切り換わる。底板１２にロール紙１０が載っていると、ロール紙１０は自重によって前傾姿勢１２Ｂの底板１２を転動して、前方に送り出される。例えば、図６に想像線で示すように残り少なくなったロール紙１０Ａは矢印で示すように前方に送り出される。この結果、開いた開閉蓋ユニット３の上側前方から簡単にロール紙１０Ａを取り出すことができる。
【００４６】
また、開閉蓋ユニット３は、底板１２が旋回を開始した後は、左右のリンクレバー７１、７２を介して、左右の引張りコイルばね６６、６７によって後方に引張られた状態になる。したがって、引張りコイルばね６６、６７の引張り力によって開閉蓋ユニット３が勢い良く開いてしまうことが防止され、プリンタ設置面などに開閉蓋ユニット３が勢い良く衝突して破損してしまうなどの弊害を回避できる。
【００４７】
次に、開閉蓋ユニット３を閉じると、これに連動して、左右のリンクレバー７１、７２も後方に移動する。よって、底板１２の左右のスライドピン６４、６５に作用していた前方への引張り力が解除され、コイルばね６６、６７のばね力によって、底板１２は元のほぼ水平な姿勢１２Ａに戻る。この結果、底板１２に載っているロール紙１０は予め定められた所定の位置に収納された状態になる。
【図面の簡単な説明】
【００４８】
【図１】本発明を適用したロール紙プリンタの外観斜視図である。
【図２】ロール紙プリンタの開閉蓋を開けた状態での外観斜視図である。
【図３】ロール紙プリンタの内部構造を示す概略構成図である。
【図４】ロール紙プリンタの本体ケースおよび開閉蓋を取り外した状態のロール紙プリンタの側面図である。
【図５】内部構造を示すために図４における一方の側板を省略した状態のロール紙プリンタの斜視図および側面図である。
【図６】開閉蓋ユニットを開けた状態の斜視図および側面図である。
【図７】ロール紙検出機構を示す部分斜視図、部分平面図および部分側面図である。
【図８】開閉蓋ユニットを開けた状態でのロール紙検出機構の部分斜視図、部分平面図および部分側面図である。
【符号の説明】
【００４９】
１  ロール紙プリンタ、２  プリンタ本体、３  開閉蓋ユニット、３Ａ  閉じ位置、３Ｂ開き位置、５  記録紙排出口、６  本体ケース、７  開閉蓋ケース、９  ロール紙収納部、１０，１０Ａ  ロール紙、１２  底板、１２Ａ  水平姿勢、１２Ｂ  前傾姿勢、１３  天板、１４  前板、１５  プラテンローラ、１６  サーマルヘッド、５０  ロール紙検出機構、５１  検出レバー、５３  検出突起、５４  検出スイッチ、５４ａ  スイッチング片、５５  検出突起退避機構、６１  支軸、６２，６３  側板部分、６４，６５  スライドピン、６６，６７  引張りコイルばね、６８，６９  支持ピン、７１，７２  リンクレバー、７１ｂ，７２ｂ  スライド穴、７２ｃ  当接板部分、７３，７４  ガイド穴、１０１  ロール紙の芯穴
【図１】
0004696768.tif 000002
【図２】
0004696768.tif 000003
【図３】
0004696768.tif 000004
【図４】
0004696768.tif 000005
【図５】
0004696768.tif 000006
【図６】
0004696768.tif 000007
【図７】
0004696768.tif 000008
【図８】
0004696768.tif 000009